(57)【要約】【課題】靴の調色において、高級感とは何かと云う本質的な課題に挑戦し、色の深み、色の透明感、表面から少し内部の染料濃度、その下のベース色等が絡み合っていることが判明し、これらの解決を課題にした。【解決手段】３層構造として、濃色の芯染めはしないで、淡色のベース層の上に染料濃度の高い層を中間層として置き、その上に透明性の高い層を積層すると、中間層の発色性が高級感として反映できる手段である。さらに、面内の色の均一性ではなく、ミクロとマクロの濃淡が、高級感をかもし出す手段であった。【選択図】    図１
0003105255.tif 000002
【実用新案登録請求の範囲】
【請求項１】
染料濃度の極めて低いベース層、染料濃度の極めて高い中間層、油脂・ワックスのリッチな最上層の３層構造を部分的に有する皮革からなる新規な靴
【請求項２】
０．７ミリメートル以上、１．５ミリメートル以下の厚さの染料濃度の極めて低いベース層、厚さ２００ミクロン以下の染料濃度の高い中間層、１００ミクロン以下の油脂、ワックスを５０％以上含む最上層の３層構造よりなる請求項１の新規な皮革靴
【請求項３】
０．７ミリメートル以上、１．５ミリメートル以下のベージュ色の天然皮革ベースの靴表面側の５０〜２００ミクロンに、着色剤・ワックス・界面活性剤の侵入が部分的にあり、その上に５０パーセントから７５％の油脂、ワックス及び８％以下の着色剤を含有する層を重ねた３層構造の請求項１及び２の新規な皮革靴
【請求項４】
中間層及び最上層が含有する染料濃度は面内で不均一であり、濃淡模様を形成している請求項３の新規な皮革靴
【請求項５】
染料濃度の高い中間層の上又は下に、図柄を入れた請求項２、３及び４の新規な皮革靴
【考案の詳細な説明】
【技術分野】
【０００１】本考案は、皮革靴の染色仕上げ構造に関するものであり、透明感があって高級感のある色調の靴を提供する層構造に関する。
【背景技術】
【０００２】色に深みと透明感をもたらし、高級感を付与する方法として、表面処理剤の中に、コラーゲン粉末を添加することにより酸性染料に易染性とする方法は知られている。従来の顔料を用いた表面処理剤で着色したものと比較して、色に透明感と高級感が得られる。（特許文献１）。酸性染料に染色可能な特殊なポリウレタンを表面層に使用し、酸性染料により染色可能にして、高級感のある外観を形成することも知られている（特許文献２）。特許庁の電子図書館トップページから、皮革、染色、高級感に絞って１９９４年４月１日以降の公開特許を検索すると、３件の特許が検索できるが、関連する背景技術はこの２件のみであった。検索キーワードとして皮革靴、高級感としても、他には検索出来なかった。すなわち、背景技術は、最表面のみを問題にした技術である。【０００３】
【特許文献１】特開平０６−２３５１７７号公報
【特許文献２】特開平０７−０７０９４５号公報
【考案の開示】
【考案が解決しょうとする課題】
【０００４】本考案は、我々が靴を見た場合に、高級感とは何か、色の透明感とは何かという本質から検討し、発色の高級感は、表面の着色剤を顔料から染料に変えただけでは十分なものではないことの結論に達した。靴の高級感とは、色の深み、色の透明感、表面から少し内部の染料濃度、その下のベースの色等が複雑に絡み合って、我々の目に入ってきて、判断するものであることが判り、これらの課題の解決の必要性を認め解決しようとした。
【課題を解決するための手段】
【０００５】本考案では、皮革靴の厚み方向の構造を３層構造として、皮革のほとんどを占めるベース層の染料濃度、その表面層近くにある中間層の染料濃度、透明な最上層の組み合わせが高級感をもたらすものであるとの結論に達した。染料濃度の高い層を５０〜２００ミクロン、好ましくは１５０ミクロン程度に止め、その下は染料濃度を低くすることが、光の反射量を高め、発色を豊かにすることが判り、薄い中間層として染料リッチ層を持ってきた。最表面は透明性の良い油脂及びワックスとして、発色層から帰ってくる光を吸収したり反射しない層とした。この考えで、明確な３層構造を形成させて、透明感のある色調を実現した。さらに、中間層と最上層が含有する染料濃度は、面内不均一にすることで、自然観を出して新規な感覚の皮革靴とした。一般に、靴用の皮革としては、０．７ｍｍから１．５ｍｍの厚みのものが使用されている。登山靴やスポーツ靴のようなものでは、さらに厚い皮革が使用され、高級感よりも機能性が重要であるが、紳士及び婦人靴としてファッション性が求められるものでは、色調の高級感が最重要であり、本考案はその構造を提供するものである。
【考案の効果】
【０００６】本考案の最大の効果は、淡色層の上に厚みの薄い濃色層を存在させ、その上に透明性の良い油脂及びワックスのリッチな層を存在させることにより、従来にない、透明感と高級感を感じる皮革靴になることである。濃い芯染めをすると色に透明感がなくなるが、淡色層とすることで、透明感の高い皮革となった。すなわち、従来の皮革靴の材料とは異なり、淡色層のベースの上に染料濃度の極めて高い層を存在させることにより、高級感のある色調が実現できた。この色調を維持するため透明性のよい油脂とワックスを最上層に置いた。光沢を付与することでより高級感が達成できる。
【考案を実施するための最良の形態】
【０００７】本考案の最良の形態を図によって説明する。図１は、本考案の皮革靴の皮革断面の模式図である。１は淡色ベース層である。２は、その表面に近い１５０ミクロン程度の層であり、極めて染料濃度の高い層である。その上に、３の透明な油脂及びワックスのリッチな層で構成されている。４は、スェード状の毛羽が出ている裏面である。図２は、従来の皮革靴の高級皮革の断面である。５で示す１ｍｍ前後のベース全体を、皮革の色に合わせて、十分に芯染めしたものである。表面仕上げをした６が最表面にある。図３は、芯染めを十分しないで仕上げた準高級皮革の断面である。７のように表面層から０．３ｍｍ程度の内部まで染料が浸透している。その下の８は、表面の色とは全く異なる色や、クロムなめしの色をしていることが多い。９は、芯染め時に、裏から染料の入った状態を示している。
従来は、図２或いは図３の構造の靴用皮革が中心であり、図１のように、ベースが淡色のままでは、高級感の表現ができなかった。高級感の解析から淡色のベースの上に極めて濃色の染料含有層を存在させて、高級化に成功した。【０００８】本考案の透明性に優れ、高級感のある皮革は、必ずしも従来のように、図２のごとく同色に芯染めする必要はなく、図３のように０．３ｍｍまで深く芯染めが浸透している必要はない。図１のように、１５０ミクロン程度を極めて、染料濃度の高い層を中間層として存在させることが最も高級感をもたらす構造である。その下のベース層は、淡色の芯染めでよく、皮革の表面色に合わせないほうが高級感が達成できる。さらに、中間層２と最上層３が含有する染料濃度は、均一である必要はなく、濃淡模様を形成している方が、自然であってより高級感が達成できるので、本考案の最良の形態の構造である。さらに、図１の２の上又は下に、１１のように図柄を入れて、個人向けのオリジナルな靴を志向することも高級靴の一つの方向である。
【実施例１】
【０００９】ベージュ系の淡色に染色した皮革を使用し、染料を９％、油脂とワックスを６％、界面活性剤を９％含む染色仕上げ液を、塗装して溶剤と水分の乾燥を繰り返し、１３０ミクロンの染料濃度の極めて高い中間層を形成させた。その後艶出しをして、色調に優れた中間層を形成せしめた。油脂とワックスの合計２５％、界面活性剤１２．５％、染料３％の仕上げ液を塗装して、溶剤と水分を乾燥させて、最上層は、５５％の油脂とワックス及び７％の染料を含む層を不均一に形成させた。艶出しを繰り返し、塗装量の少ない所は淡色に、多い所は濃色に仕上がり、このミクロとマクロの色の濃淡が、高級感をかもし出し、外観において高級感のすばらしい靴となった。
【産業上の利用可能性】
【００１０】安価な海外製品と競合するのではなく、我が国で開発した高級感のある紳士と婦人靴を、特定のファッションショップで展開できる製品と考えている。塗装の方法を簡略化して、顧客の希望によりオリジナル製品としての企画販売を想定している。
【図面の簡単な説明】
【００１１】
【図１】本考案の高級感のある靴の皮革断面模式図
【図２】内部まで同色に芯染めされて仕上げた従来の高級皮革の断面模式図
【図３】ベース層の全層は芯染めされていないが芯染めの深い準高級靴の断面模式図、
【符号の説明】
【００１２】１淡色に芯染めされたベース層
２ベース層の上部の薄い層の染料濃度の極めて高い中間層
３油脂・ワックスリッチの透明性に優れ高級感のある皮革の最上層
４皮革ベースの裏面のスエード状の毛羽の層
５同色に芯染めされた従来の高級皮革のベース
６従来の高級皮革の最上層
７準高級皮革で行われている深い芯染め層
８芯染めが出来ていない層
９裏から芯染めされた層
１０仕上げされた準高級皮革の最上層
１１ベース層の上部の極めて染料濃度の高いの下にある図柄
【図１】
0003105255.tif 000003
【図２】
0003105255.tif 000004
【図３】
0003105255.tif 000005